(57)【要約】      （修正有）【課題】収納物をパレットに対して荷崩れや移動がないように強固に固定することができ、収納物を確実に不動状態に保持して搬送を安全にできる組立式コンテナを提供する。【解決手段】組立式コンテナ１は、コンテナの底部を形成するパレット２と、そのパレット２の周縁部に設けられた溝部５に嵌合しコンテナの側壁を形成するスリーブ３と、そのスリーブ３上に載置しコンテナの蓋部を形成する蓋体４とからなる。パレット２の上面壁には互いに連結して収納物１１を締め付け固定する少なくとも一対のベルト１２を有する。ベルト１２の各末端がパレット２上面壁のうち収納物が載置される部位の外側でかつ溝部５の内側で着脱自在にネジ止め固定する。【選択図】図１
2010260599.tif 000002
【特許請求の範囲】
【請求項１】
コンテナの底部を形成するパレットと、そのパレットの周縁部に設けられた溝部に嵌合しコンテナの側壁を形成するスリーブと、そのスリーブ上に載置しコンテナの蓋部を形成する蓋体とからなる組立式コンテナにおいて、
パレットの上面壁には互いに連結して収納物を締め付け固定する少なくとも一対のベルトを有し、
一対のベルトの各末端がパレット上面壁のうち収納物が載置される部位の外側でかつ前記溝部の内側で着脱自在にネジ止め固定する
ことを特徴とする組立式コンテナ。
【請求項２】
一対のベルトの各末端はループ状に形成されており、
ループ状の輪の中に固定片を通して、その固定片の両端をパレットに着脱自在にネジ止め固定する
ことを特徴とする請求項１記載の組立式コンテナ。
【請求項３】
パレットは板状のリブにより補強された中空構造を有しており、
一対のベルトの各末端のループ状の輪の中に通した固定片を前記板状のリブを跨ぐように配置して一対のベルトの各末端をパレットの上面壁に着脱自在に固定する
ことを特徴とする請求項２記載の組立式コンテナ。
【発明の詳細な説明】
【技術分野】
【０００１】
本発明は、コンテナの底部を形成するパレットと、そのパレットの周縁部に設けられた溝部に嵌合しコンテナの側壁を形成するスリーブと、そのスリーブ上に載置しコンテナの蓋部を形成する蓋体とからなる組立式コンテナに関するものである。
【背景技術】
【０００２】
収納物であるロッドを保持凹部を有する板状の緩衝材で挟み込み、当該緩衝部材をベルトで固定する方式の輸送用コンテナは、特開２００３−５６６１６号公報に開示されている。そして、この輸送用コンテナにあっては、ベルト端部がパレットに固定してあるＤ型金具に対して着脱自在に連結され、ベルトを締め付けることにより収納物をパレット上に固定することができるものである。
【先行技術文献】
【特許文献】
【０００３】
【特許文献１】特開２００３−５６６１６号公報
【発明の概要】
【発明が解決しようとする課題】
【０００４】
ところが、収納物の大きさが異なるものをパレット上に固定する場合、ベルト端部はパレットに対して収納物の大きさに応じた位置に着脱自在とする必要がある。例えば前掲の特許文献１に紹介されている輸送用コンテナのように、ベルト端部の位置が変更できないものにあっては、収納物が小さい場合にはベルトと収納物との間に隙間が生じて収納物をパレットに対して荷崩れや移動がないように強固に固定することができない。
【０００５】
そこで、本発明の目的は、パレットの上面壁には互いに連結して収納物を締め付け固定する少なくとも一対のベルトを有し、一対のベルトの各末端がパレット上面壁のうち収納物が載置される部位の外側でかつ前記溝部の内側で着脱自在にネジ止め固定することにより、収納物をパレットに対して荷崩れや移動がないように強固に固定することができ、収納物を確実に不動状態に保持して搬送等を安全にできる組立式コンテナを提供するものである。
【課題を解決するための手段】
【０００６】
上記目的を達成する本発明の組立式コンテナは、コンテナの底部を形成するパレットと、そのパレットの周縁部に設けられた溝部に嵌合しコンテナの側壁を形成するスリーブと、そのスリーブ上に載置しコンテナの蓋部を形成する蓋体とからなる組立式コンテナにおいて、パレットの上面壁には互いに連結して収納物を締め付け固定する少なくとも一対のベルトを有し、一対のベルトの各末端がパレット上面壁のうち収納物が載置される部位の外側でかつ前記溝部の内側で着脱自在にネジ止め固定することを特徴とするものである。
【０００７】
そして、本発明においては、一対のベルトの各末端はループ状に形成されており、ループ状の輪の中に固定片を通して、その固定片の両端をパレットに着脱自在にネジ止め固定する構成であることが好ましく、またパレットは板状のリブにより補強された中空構造を有しており、一対のベルトの各末端のループ状の輪の中に通した固定片を前記板状のリブを跨ぐように配置して一対のベルトの各末端をパレットの上面壁に着脱自在に固定する構成であるのが好適である。
【発明の効果】
【０００８】
本発明の組立式コンテナによれば、パレットの上面壁には互いに連結して収納物を締め付け固定する少なくとも一対のベルトを有し、一対のベルトの各末端がパレット上面壁のうち収納物が載置される部位の外側でかつ前記溝部の内側で着脱自在にネジ止め固定するものであるから、収納物を締め付け固定するベルトを収納物に隙間なく沿わせて収納物をパレットに対して荷崩れや移動がないように強固に固定することができ、収納物を確実に不動状態に保持して搬送等を安全にできる効果が得られる。
【図面の簡単な説明】
【０００９】
【図１】本発明の一実施の形態に係る組立式コンテナの一部を破断して示す斜視図である。
【図２】全体の斜視図である。
【図３】図２の内部態様を示す斜視図である。
【図４】一部の断面図である。
【図５】パレットの斜視図である。
【図６】本発明の他の実施の形態を示す一部の断面図である。
【図７】図６の一部を示す斜視図である。
【図８】本発明のさらに他の実施の形態を示す一部の断面図である。
【図９】図８の他の態様を示す一部の断面図である。
【図１０】本発明のまたさらに他の実施の形態を示す一部の断面図である。
【図１１】図１０に対応する一部の斜視図である。
【図１２】パレットに収納物を積載する態様を示す斜視図である
【図１３】図１２の状態から収納物をベルトで締め付けて固定する工程を示す斜視図である。
【図１４】図１３の態様から蓋体を被せる工程を示す斜視図である。
【発明を実施するための形態】
【００１０】
本発明に係る組立式コンテナ１は、コンテナの底部を形成するパレット２と、コンテナの側壁を形成する角筒状のスリーブ３と、コンテナの蓋部を形成する蓋体４とで構成されるものである。すなわち、パレット２の周縁部にはその全周にわたって溝部５が設けられており、パレット２の溝部５にスリーブ３の下端部を嵌合し、パレット２を底部としてその上方周囲を側壁となるスリーブ３で囲み、さらにスリーブ３上に蓋体４を載置して内部を閉じた組立式コンテナ１を構成する。蓋体４にはその裏面周縁部にスリーブ３の上端部を嵌合するための溝部６を設けてある。
【００１１】
パレット２は中空二重壁構造であってその中空部内で上面壁７と下面壁８とを繋ぐ複数の板状のリブ（インナーリブ）９により補強されており、上面壁７と下面壁８の一部を圧縮一体化して複数の脚部１０を形成している。この複数の脚部１０はパレット２の各辺の両端部とその中間部に設けられていて、両端部の脚部１０は隣り合う各辺の隅部を挟んで一体状に形成されている。パレット２は熱可塑性樹脂をブロー成形されたものである。
【００１２】
パレット２には、その上面壁７上に収納物１１を積み重ねて収納するが、パレット２の周辺部には収納物１１を締め付けて固定するベルト（ナイロンベルト）１２の末端を固定する２つのネジ孔１３，１３が内外方向に並べて設けられている。図示の実施の形態では、前記ベルト１２を積載した収納物１１の前後辺および左右辺にそれぞれ間隔をおいて２本を平行して着装するようになっている。各ベルト１２は、その途中を着脱自在に連結した一対のベルトからなり、その連結部１４は一方が受け部１４ａで他方が嵌装部１４ｂとなっていて、嵌装部１４ｂはベルトの長さ調整機能を備えているものである。なお図示の実施の形態では、収納物１１としてパネルヒータを例示している。図４に詳細を示すように、前記ベルト１２の末端を固定するネジ孔１３，１３のうち内側のものは、収納物１１の外側面にベルト１２を密接して沿わせる部位にあり、ベルト１２の末端にワッシャ１５を介してそのネジ孔にボルト１６，１６を通してパレット２のネジ孔１３，１３に差し込み、下壁８側から蝶ナット１７，１７によりベルト１２の末端をパレット２にネジ止め固定するようにしてある。
【００１３】
パレット２にベルト１２の末端をネジ止めする構成は、図６および図７に示す実施の形態とすることができる。この実施の形態においては、内外方向に長孔１８ａを有し、かつ内端に立ち上がり部１８ｂを有する固定片１８をベルト１２の末端に当ててネジ孔１３，１３にボルト１６，１６および蝶ナット１７，１７により固定する構成となっている。このため、立ち上がり部１８ｂを収納物１１に当接するように固定片１８の位置を調整してベルト１２をパレット２に固定すれば、収納部１１の大きさの相違にかかわらず、収納物１１の外側面にベルト１２が密接して沿わせた状態で固定される。また、図８および図９に示すように、固定片１８を収納物１１の大きさに対応して前後方向に長さの異なるものを選択して用いることにより、固定片１８をその立ち上がり部１８ｂを収納物１１に当接するようにベルト１２をパレット２に固定すことができる。
【００１４】
図１０および図１１に示すように、一対のベルト１２の各末端を折り返して縫着（または接着）してループ状に形成し、そのループ状の輪１９の中に固定片２０を通して、その固定片２０の両端をパレット２にネジ止め固定する構成としてもよい。２１は縫着部である。この実施の形態においては、固定片２０がベルト１２の長手方向に対して直交する方向になるので、ベルト１２を挟んで固定片２０の両端部をパレット２に固定する態様で固定片２０をパレット２の板状のリブ９を跨ぐように配置して固定できる。このため、パレット２に対するベルト１２の固定強度を高く保つことができて、パレット２に対する収納物１１をいっそう安定状態に保持できる。また、この実施の形態においては、パレット２の上面壁７にその面から中空部２２にかけてネジ止めすることになるので、パレット２の上面壁７穿孔した止め孔２３に一方から挿入して上面壁７の裏面側での拡張により固定する固定座部２４（ボードファスナー：登録商標）を装着し、固定片２０を固定座部２４にボルト２５により固定することになる。
【００１５】
本発明に係る組立コンテナ１に収納物１１を収納するには、図１２ないし図１４の手順による。すなわち、まずパレット２からスリーブ３を蓋体４とともに取り外してパレット２を開放状態とする（図１２）。そして、パレット２の上面壁７上の所定位置に収納物１１を積み重ね、さらにその上面に気泡入り緩衝保護シート（エアーキャップ：登録商標）２６を被せる。次いで各一対のベルト１２の端末をそれぞれ前記のようにパレット２に取り付けたうえそれぞれ積み重ねられている収納物１１の上面に回し、互いの他方の端部を連結部１４により一対のベルト１２の長さを調整してベルト１２が収納物１１の外周面（側面および上面）に密着させて締め付け固定する（図１３）。なお一対のベルト１２の長さは連結部１４を連結した後で調整して一対のベルト１２が収納物１１の外周面に密着するようにしてもよい。次いで、パレット２に収納物１１を取り囲むようにスリーブ３を被せてパレット２の溝部５に嵌合し、そのスリーブ３の上に蓋体４を被せてその溝部６をスリーブ３に嵌合して固定して収納物１１の収納空間を密封状態とする（図１４）。
【符号の説明】
【００１６】
１  組立式コンテナ
２  パレット
３  スリーブ
４  蓋体
５  溝部
６  溝部
７  上面壁
８  下面壁
９  板状のリブ（インナーリブ）
１０  脚部
１１  収納物
１２  ベルト（ナイロンベルト）
１３，１３  ネジ孔
１４  連結部
１４ａ  受け部
１４ｂ  嵌装部
１５  ワッシャ
１６，１６  ボルト
１７，１７  蝶ナット
１８  固定片
１８ａ  長孔
１８ｂ  立ち上がり部
１９  ループ状の輪
２０  固定片
２１  縫着部
２２  中空部
２３，２３  止め孔
２４，２４  固定座部
２５，２５  ボルト
２６  緩衝保護シート
【図１】
2010260599.tif 000003
【図２】
2010260599.tif 000004
【図３】
2010260599.tif 000005
【図４】
2010260599.tif 000006
【図５】
2010260599.tif 000007
【図６】
2010260599.tif 000008
【図７】
2010260599.tif 000009
【図８】
2010260599.tif 000010
【図９】
2010260599.tif 000011
【図１０】
2010260599.tif 000012
【図１１】
2010260599.tif 000013
【図１２】
2010260599.tif 000014
【図１３】
2010260599.tif 000015
【図１４】
2010260599.tif 000016